(57)【要約】【課題】従来の縫製技術のみにて作られた犬の靴は、破れたり穴があいたりしやすく大型犬や災害救助犬が履くような靴を作るのは難しかった。【解決手段】合成樹脂を使用することによって、犬の靴に耐久性を持たせることができ、大型犬や災害救助犬が使用できる靴を作ることが出来る。【選択図】図１
2014087332.tif 000002
【特許請求の範囲】
【請求項１】
犬の足を入れる袋および袋に取り付ける１又は２以上のベルトを、合成樹脂を金型に入れて一体成型して作り、ベルトに面ファスナー等の結合式を取り付けたことを特徴とする犬の靴。
【請求項２】
犬の足を入れる袋および袋に取り付ける１又は２以上のベルトを、合成樹脂を金型に入れて一体成型して作り、合成樹脂で作った犬の足を入れる袋に布で作った筒を取り付け、犬の足を入れる布の筒に１又は２以上のベルトを取り付け、ベルトに面ファスナー等の結合式を取り付けたことを特徴とする犬の靴。
【請求項３】
合成樹脂を金型に入れて犬の靴の底面を一体成型して作り、その犬の靴の底面に犬の足を入れる袋を布で作って取り付け、犬の足を入れる袋に１または２以上のベルトを取り付け、ベルトに面ファスナー等の結合式を取り付けたことを特徴とする犬の靴。
【請求項４】
合成樹脂を金型に入れて作った犬の靴の底面は、つま先から手根又は飛節まで被うとし、その犬の靴の底面に布で作った犬の足を入れる袋を取り付け、犬の足を入れる袋に１又は２以上のベルトを取り付け、ベルトに面ファスナー等の結合式を取り付けたことを特徴とする犬の靴。
【請求項５】
犬の靴の底面と１又は２以上のベルトを、合成樹脂を金型に入れて一体形成して作り、犬の靴の底面に犬の足を入れる袋を取り付け、ベルトに面ファスナーを取り付けたことを特徴とする犬の靴。
【請求項６】
ベルトの１又は２以上は手根パッドと掌肉球の間又は踵パッドと遮肉球の間を締め付ける位置に取り付けた、請求項１乃至請求項５のいずれか一項に記載の犬の靴。
【請求項７】
犬の靴に犬の足を入れる袋の入り口を狭くする用具を取り付けた請求項１乃至請求項５のいずれか一項に記載の犬の靴。
【請求項８】
犬の靴に縫製した布の表面に合成樹脂を塗り補強した請求項２乃至請求項５のいずれか一項に記載の犬の靴。
【請求項９】
鉱物、植物、繊維、気体、及び樹脂から選ばれる１種類以上を混ぜた合成樹脂を金型に入れて一体成型した請求項１乃至請求項５のいずれか一項に記載の犬の靴。
【請求項１０】
犬の靴の内側に布を貼った、請求項１乃至請求項５のいずれか一項に記載の犬の靴。
【請求項１１】
犬の靴の内側に合成樹脂を塗った又は貼った、請求項１乃至請求項５のいずれか一項に記載の犬の靴。
【請求項１２】
犬の靴にベルトを付けない請求項１乃至請求項５のいずれか一項に記載の犬の靴。
【発明の詳細な説明】
【技術分野】
【０００１】犬の靴を作る技術である。
【背景技術】
【０００２】従来の犬の靴は縫製技術のみによって作られている。
【先行技術文献】
【０００３】
【特許文献】
【特許文献】特開２００４−２５４６０６号
【発明の概要】
【発明が解決しようとする課題】
【０００４】従来の縫製技術のみによって作られた犬の靴は、縫製した部分が擦ることがある。また、強い力で引っ張られたりすると、切れたり破れたりして犬の靴の使用が出来なくなった。【０００５】本発明は、このような従来の縫製技術のみによって作られていた犬の靴の問題を解決しようとするものであり、犬の靴に耐久性を持たせることを目的とした技術である。
【課題を解決するための手段】
【０００６】犬の足を入れる袋と袋に取り付ける１又は２以上のベルトを、合成樹脂を金型に入れて一体成型して作り、ベルトに面ファスナー等の結合式を取り付けた犬の靴。【０００７】犬の足を入れる袋と袋に取り付ける１又は２以上のベルトを、合成樹脂を金型に入れて一体成型して作り、合成樹脂で作った犬の足を入れる袋に布で作った筒を取り付け、犬の足を入れる布の筒に１又は２以上のベルトを取り付け、ベルトに面ファスナー等の結合式を取り付けた犬の靴。【０００８】合成樹脂を金型に入れて犬の靴の底面を一体成型して作り、その犬の靴の底面に犬の足を入れる袋を布で作って取り付け、犬の足を入れる袋に１または２以上のベルトを取り付け、ベルトに面ファスナー等の結合式を取り付けた犬の靴。【０００９】合成樹脂を金型に入れて作った犬の靴の底面は、つま先から手根又は飛節まで被うとし、その犬の靴の底面に布で作った犬の足を入れる袋を取り付け、犬の足を入れる袋に１又は２以上のベルトを取り付け、ベルトに面ファスナー等の結合式を取り付けた犬の靴。【００１０】犬の靴の底面と１又は２以上のベルトを、合成樹脂を金型に入れて一体形成して作り、犬の靴の底面に犬の足を入れる袋を取り付け、ベルトに面ファスナー等の結合式を取り付けた犬の靴。【００１１】犬の足を入れる袋と袋に取り付ける１又は２以上のベルトを、合成樹脂を金型に入れて一体成型して作り、そのベルトの１つは手根パッドと掌肉球の間又は踵パッドと遮肉球の間を締め付ける位置に取り付け、ベルトに面ファスナー等の結合式を取り付けた犬の靴。【００１２】犬の足を入れる袋と袋に取り付ける１又は２以上のベルトを、合成樹脂を金型に入れて一体成型して作り、合成樹脂で作った犬の足を入れる袋に布で作った筒を取り付け、犬の足を入れる布の筒に１又は２以上のベルトを取り付け、そのベルトの１つは手根パッドと掌肉球の間又は踵パッドと遮肉球の間を締め付ける位置に取り付け、ベルトに面ファスナー等の結合式を取り付けた犬の靴。【００１３】合成樹脂を金型に入れて犬の靴の底面を一体成型して作り、その犬の靴の底面に犬の足を入れる袋を布で作って取り付け、犬の足を入れる袋に１または２以上のベルトを取り付け、そのベルトの１つは手根パッドと掌肉球の間又は踵パッドと遮肉球の間を締め付ける位置に取り付け、ベルトに面ファスナー等の結合式を取り付けた犬の靴。【００１４】合成樹脂を金型に入れて作った犬の靴の底面は、つま先から手根又は飛節まで被い、その犬の靴の底面に布で作った犬の足を入れる袋を取り付け、犬の足を入れる袋に１又は２以上のベルトを取り付け、そのベルトの１つは手根パッドと掌肉球の間又は踵パッドと遮肉球の間を締め付ける位置に取り付け、ベルトに面ファスナー等の結合式を取り付けた犬の靴。【００１５】犬の靴の底面と１又は２以上のベルトを、合成樹脂を金型に入れて一体形成して作り、犬の靴の底面に犬の足を入れる袋を取り付け、そのベルトの１つは手根パッドと掌肉球の間又は踵パッドと遮肉球の間を締め付ける位置に取り付け、ベルトに面ファスナー等の結合式を取り付けた犬の靴。【００１６】前記（０００６）から（００１５）までの犬の靴において、犬の足を入れる袋の入り口を狭くする用具を取り付けた犬の靴。【００１７】前記（０００７）から（００１５）までの犬の靴において、縫製した布の表面に合成樹脂を塗り補強した犬の靴。【００１８】前記（０００６）から（００１５）までの犬の靴において、鉱物、植物、繊維、気体、及び樹脂から選ばれる１種類又は２種類以上を混ぜた合成樹脂を金型に入れて一体成型した犬の靴。【００１９】前記（０００６）から（００１５）までの犬の靴において、犬の靴の内側に布を貼った犬の靴。
前記（０００６）から（００１５）までの犬の靴において、犬の靴の内側に合成樹脂を貼った又は塗った犬の靴。【００２０】前記（０００６）から（００１５）までの犬の靴において、ベルトを一体成型しない犬の靴。【００２１】樹脂には天然樹脂と合成樹脂がある。【００２２】天然樹脂には天然ゴムなどがある。【００２３】シリコーンゴムやシリコン樹脂は樹脂に含まれる。【００２４】合成樹脂にはフェノール樹脂、エポキシ樹脂、メラミン樹脂、尿素樹脂、不飽和ポリエステル樹脂、アルキド樹脂、ポリウレタン、ポリイミド、ＡＢＳ樹脂、ＡＳ樹脂、アクリル樹脂、シリコン樹脂、合成ゴムなどが含まれる。
【発明の効果】
【００２５】耐久性のある犬の靴を作ることが出来れば、災害時などに出動する災害救助犬に使用できる犬の靴を作ることができ、人命救助などに役立つ。【００２６】大型犬が長く履ける靴を低価格で作ることが出来れば、より多くの補助犬ユーザーへ犬の靴を提供することができ、補助犬ユーザーが現在より自立した生活をおくれるようになる。【００２７】シリコン樹脂などの犬の足に優しい素材を使用して、今までの縫製技術のみでは作ることが出来なかった小さな犬の靴を作ることが出来れば、草アレルギーなどのアレルギーがある超小型犬へも靴を提供することが可能となる。散歩に行けずストレスが溜まってしまっている犬のストレス解消にも役立つ。ストレスから起こるアレルギー以外の食欲不振などの症状も緩和されることに役立つ。【００２８】飼い犬も高齢化しており、足を引きずる犬が増えているため、こうした犬達に対して丈夫な犬の靴を提供することが出来れば、足の傷の治療のために服用しなくてはならない薬なども減り、犬の健康が保たれ、犬も飼い主もストレスが軽減される。
【図面の簡単な説明】
【００２９】
【図１】袋とベルトを一体にした犬の靴。
【図２】複数ベルトと袋を一体成型した犬の靴。
【図３】足裏と脚部とベルトを一体成型した物。
【図４】足裏と脚部とベルトを一体成型した物に袋を取り付けた犬の靴。
【図５】靴底と複数のベルトを一体成型した物。
【図６】手根パッドと掌肉球の間、又は踵パッドと遮肉球の間で締めるベルトを付けた犬の靴。
【図７】靴底（記号Ｅ）からつま先までとベルトを一体成型した物に犬の足を入れる袋を取り付け、入り口を狭くする紐を取り付けた犬の靴。
【図８】入り口を狭くする紐を取り付け、ベルトを付けない犬の靴
【発明を実施するための形態】
【実施例１】
【００３０】犬の足を入れる袋と袋に取り付ける１組のベルトを、合成ゴムを金型に入れて一体成型して作り、ベルトに面ファスナーを取り付けた犬の靴。
【実施例２】
【００３１】犬の足を入れる袋と袋に取り付ける２対のベルトを、ポリ塩化ビニールを金型に入れて一体成型して作り、ポリ塩化ビニールで作った犬の足を入れる袋にナイロン生地で作った筒を取り付け、犬の足を入れるナイロン生地の筒に１対のベルトを取り付け、ベルトに線ファスナーを取り付けた犬の靴。
【実施例３】
【００３２】犬の足を入れる袋と袋に取り付ける１組のベルトを、フェノール樹脂を金型に入れて一体成型して作り、フェノール樹脂で作った犬の足を入れる袋にポリエステル系メッシュ生地で作った筒を取り付け、犬の足を入れるポリエステル系メッシュ生地の筒に２組のベルトを取り付け、ベルトにバックルを取り付けた犬の靴。
【実施例４】
【００３３】エポシキ樹脂を金型に入れて犬の靴の底面を一体成型して作り、その犬の靴の底面に犬の足を入れる筒を綿生地で作って取り付け、犬の足を入れる筒に２対のベルトを取り付け、ベルトにフックを取り付けた犬の靴。
【実施例５】
【００３４】メラミン樹脂を金型に入れて作った犬の靴の底面は、つま先から手根又は飛節まで被うとし、その犬の靴の底面に人工皮革で作った犬の足を入れる筒を取り付け、犬の足を入れる筒に３対のベルトを取り付け、ベルトにボタンとボタン穴を取り付けた犬の靴。
【実施例６】
【００３５】犬の靴の底面と４対のベルトを、尿素樹脂を金型に入れて一体形成して作り、犬の靴の底面に犬の足を入れるデニム生地で作った筒を取り付け、全てのベルトにバックルを取り付けた犬の靴。
【実施例７】
【００３６】犬の足を入れる袋と袋に取り付ける３対のベルトを、不飽和ポリエステル樹脂を金型に入れて一体成型して作り、そのベルトの１対は手根パッドと掌肉球の間又は踵パッドと遮肉球の間を締め付ける位置に取り付け、ベルトに面ファスナーを取り付けた犬の靴。
【実施例８】
【００３７】犬の足を入れる袋と袋に取り付ける７対のベルトを、シリコン樹脂を金型に入れて一体成型して作り、シリコン樹脂で作った犬の足を入れる袋に綿帆布生地で作った筒を取り付け、犬の足を入れる綿帆布生地で作った筒に３対のベルトを取り付け、そのベルトの２対は手根パッドと掌肉球の間又は踵パッドと遮肉球の間を締め付ける位置に取り付け、ベルトに面ファスナーを取り付けた犬の靴。
【実施例９】
【００３８】ＡＢＳ樹脂を金型に入れて犬の靴の底面を一体成型して作り、その犬の靴の底面に犬の足を入れる筒をエステル帆布生地で作って取り付け、犬の足を入れる筒に２対のベルトを取り付け、そのベルトの１対は手根パッドと掌肉球の間又は踵パッドと遮肉球の間を締め付ける位置に取り付け、ベルトにフックを取り付けた犬の靴。
【実施例１０】
【００３９】アルキド樹脂を金型に入れて作った犬の靴の底面は、つま先から手根又は飛節まで被い、その犬の靴の底面にカツラギ生地で作った犬の足を入れる筒を取り付け、犬の足を入れる筒に５組のベルトを取り付け、そのベルトの２組は手根パッドと掌肉球の間又は踵パッドと遮肉球の間を締め付ける位置に取り付け、ベルトにボタンとボタン穴を取り付けた犬の靴。
【実施例１１】
【００４０】犬の靴の底面と３対のベルトを、ポリウレタンを金型に入れて一体形成して作り、犬の靴の底面に犬の足を入れる革で作った筒を取り付け、そのベルトの１対は手根パッドと掌肉球の間又は踵パッドと遮肉球の間を締め付ける位置に取り付け、ベルトにバックルを取り付けた犬の靴。
【実施例１２】
【００４１】犬の足を入れる袋と袋に取り付ける１対のベルトを、ポリイミドを金型に入れて一体成型して作り、犬の足を入れる袋の入り口を狭くする用具を取り付け、ベルトに面ファスナーを取り付けた犬の靴。
【実施例１３】
【００４２】ＡＳ樹脂を金型に入れて作った犬の靴の底面は、つま先から手根又は飛節まで被い、その犬の靴の底面にナイロン生地で作った犬の足を入れる袋を取り付け、犬の足を入れる袋に４対のベルトを取り付け、ベルトに紐および紐を通す穴を取り付け、犬の足を入れる袋の入り口を狭くする紐および紐を通す穴を取り付け、縫製した布の表面に合成樹脂を塗り補強した犬の靴。
【実施例１４】
【００４３】犬の足を入れる袋と袋に取り付ける３対のベルトを、アクリル樹脂を金型に入れて一体成型して作り、そのベルトの２対は手根パッドと掌肉球の間又は踵パッドと遮肉球の間を締め付ける位置に取り付け、ベルトに面ファスナーを取り付け、犬の足を入れる袋の入り口を狭くする紐および紐を通す穴を取り付けた犬の靴。
【実施例１５】
【００４４】犬の足を入れる袋と袋に取り付ける２対のベルトを鉄雲母と合成ゴムを金型に入れて一体成型して作り、ベルトに面ファスナーを取り付けた犬の靴。
【実施例１６】
【００４５】犬の足を入れる袋と袋に取り付ける４対のベルトを石英とメラミン樹脂を金型に入れて一体成型して作り、犬の足を入れる袋にナイロン生地で作った筒を取り付け、犬の足を入れるナイロン生地の筒に２対のベルトを取り付け、ベルトにバックルを取り付け、縫製した布の表面に合成樹脂を塗り補強した犬の靴。
【実施例１７】
【００４６】チタン鉄鉱とフェノール樹脂を金型に入れて作った犬の靴の底面は、つま先から手根又は飛節まで被うとし、その犬の靴の底面に合成皮革生地で作った犬の足を入れる筒を取り付け、犬の足を入れる筒に３組のベルトを取り付け、ベルトにボタンとボタン穴を取り付け、縫製した布の表面に合成樹脂を塗り補強した犬の靴。
【実施例１８】
【００４７】犬の足を入れる袋と袋に取り付ける４対のベルトを自然鉄と尿素樹脂を金型に入れて一体成型して作り、そのベルトの１対は手根パッドと掌肉球の間又は踵パッドと遮肉球の間を締め付ける位置に取り付け、ベルトにフックを取り付けた犬の靴。
【実施例１９】
【００４８】犬の足を入れる袋と袋に取り付ける３組のベルトを粉砕した胡桃の実の殻とＡＢＳ樹脂を金型に入れて一体成型して作り、犬の足を入れる袋にナイロン生地で作った筒を取り付け、犬の足を入れるナイロン生地で作った筒に２組のベルトを取り付け、そのベルトの１組は手根パッドと掌肉球の間又は踵パッドと遮肉球の間を締め付ける位置に取り付け、全てのベルトにバックルを取り付け、縫製した布の表面に合成樹脂を塗り補強した犬の靴。
【実施例２０】
【００４９】粉末にした椰子の実の殻とポリウレタンを金型に入れて犬の靴の底面を一体成型して作り、その犬の靴の底面にカツラギ生地で作った犬の足を入れる筒を取り付け、犬の足を入れる筒に６対のベルトを取り付け、そのベルトの２対は手根パッドと掌肉球の間又は踵パッドと遮肉球の間を締め付ける位置に取り付け、ベルトに面ファスナーを取り付け、縫製した布の表面に合成樹脂を塗り補強した犬の靴。
【実施例２１】
【００５０】粉砕した麦とポリイミドを金型に入れて作った犬の靴の底面は、つま先から手根又は飛節まで被い、その犬の靴の底面にエステル帆布生地で作った犬の足を入れる袋を取り付け、犬の足を入れる袋に５対のベルトを取り付け、そのベルトの２対は手根パッドと掌肉球の間又は踵パッドと遮肉球の間を締め付ける位置に取り付け、バルトに線ファスナーを取り付け、縫製した布の表面に合成樹脂を塗り補強した犬の靴。
【実施例２２】
【００５１】犬の靴の底面と４対のベルトを綿とアルキド樹脂を金型に入れて一体形成して作り、犬の靴の底面に犬の足を入れるナイロン生地で作った筒を取り付け、そのベルトの１対は手根パッドと掌肉球の間又は踵パッドと遮肉球の間を締め付ける位置に取り付け、ベルトに面ファスナーを取り付け、縫製した布の表面に合成樹脂を塗り補強した犬の靴。
【実施例２３】
【００５２】犬の足を入れる袋と袋に取り付ける２対のベルトを毛糸と合成ゴムを金型に入れて一体成型して作り、犬の足を入れる袋の入り口を狭くする紐および紐を通す穴を取り付け、ベルトにフックを取り付けた犬の靴。
【実施例２４】
【００５３】犬の足を入れる袋と袋に取り付ける８対のベルトを炭素とアクリル樹脂を金型に入れて一体成型して作り、犬の足を入れる袋にナイロン生地で作った筒を取り付け、犬の足を入れるナイロン生地で作った筒に３対のベルトを取り付け、ベルトに面ファスナーを取り付け、犬の足を入れる袋の入り口を狭くする紐および紐を通す穴を取り付け、縫製した布の表面に合成樹脂を塗り補強した犬の靴。
【実施例２５】
【００５４】犬の足を入れる袋と袋に取り付ける６対のベルトを窒素とポリウレタンを金型に入れて一体成型して作り、犬の足を入れる袋にカツラギ生地で作った筒を取り付け、犬の足を入れる布の袋に４対のベルトを取り付け、ベルトの２対は手根パッドと掌肉球の間又は踵パッドと遮肉球の間を締め付ける位置に取り付け、全ての結合式に面ファスナーを取り付け、犬の足を入れる袋の内側に綿生地を貼り、縫製した布の表面に合成樹脂を塗り補強した犬の靴。
【実施例２６】
【００５５】水素とフェノール樹脂を金型に入れて犬の靴の底面を一体成型して作り、その犬の靴の底面に犬の足を入れる袋をナイロン生地で作って取り付け、犬の足を入れる袋に５対のベルトを取り付け、ベルトの１対は手根パッドと掌肉球の間又は踵パッドと遮肉球の間を締め付ける位置に取り付け、ベルトにフックを取り付け、犬の足を入れる袋の内側にシリコン樹脂を塗り、縫製した布の表面に合成樹脂を塗り補強した犬の靴。
【実施例２７】
【００５６】メラミン樹脂とエポキシ樹脂を金型に入れて犬の靴の底面を一体成型して作り、その犬の靴の底面に犬の足を入れる袋をエステル帆布生地で作って取り付け、犬の足を入れる袋に３対のベルトを取り付け、ベルトの１対は手根パッドと掌肉球の間又は踵パッドと遮肉球の間を締め付ける位置に取り付け、ベルトにバックルを取り付け、犬の足を入れる袋の内側にカツラギ生地を貼り、犬の足を入れる袋の入り口を狭くする紐と紐を通す穴を取り付け、縫製した布の表面に合成樹脂を塗り補強した犬の靴。
【実施例２８】
【００５７】合成ゴムを金型に入れて犬の足を入れる袋を一体成型して作った犬の靴。
【実施例２９】
【００５８】犬の足を入れる袋を、ＡＢＳ樹脂を金型に入れて一体成型して作り、犬の足を入れる袋の入り口を狭くする紐および紐を通す穴を取り付け、犬の足を入れる袋の内側に綿生地を貼った犬の靴。
【実施例３０】
【００５９】尿素樹脂を金型に入れて犬の靴の底面を一体成型して作り、その犬の靴の底面に犬の足を入れる袋をナイロン生地で作って取り付け、犬の足を入れる袋の入り口を狭くする紐および紐を通す穴を取り付け、縫製した布の表面に合成樹脂を塗り補強した犬の靴。
【符号の説明】
【００６０】Ａ    犬の足を入れる袋
Ｂ    ベルト
Ｂ１  手根パッドと掌肉球又は踵パッドと遮肉球の間の位置を締め付けるベルト
Ｃ    面ファスナー
Ｄ    面ファスナー
Ｅ    靴底
Ｆ    踵部
Ｇ    アキレス腱部
Ｈ    脹脛部
Ｉ    布製の袋
Ｊ    靴底（記号Ｅ）から立ち上がったつま先部分
Ｋ    犬の足を入れる袋の入り口を狭くする紐
Ｌ    紐を通す穴
【図１】
2014087332.tif 000003
【図２】
2014087332.tif 000004
【図３】
2014087332.tif 000005
【図４】
2014087332.tif 000006
【図５】
2014087332.tif 000007
【図６】
2014087332.tif 000008
【図７】
2014087332.tif 000009
【図８】
2014087332.tif 000010
【手続補正書】
【提出日】平成25年4月1日(2013.4.1)
【手続補正１】
【補正対象書類名】特許請求の範囲
【補正対象項目名】全文
【補正方法】変更
【補正の内容】
【特許請求の範囲】
【請求項１】
合成樹脂を金型に入れて作った犬の靴の底面は、つま先から手根又は飛節まで被うとし、その犬の靴の底面に布で作った犬の足を入れる袋を取り付け、犬の足を入れる袋に１又は２以上のベルトを取り付け、ベルトに面ファスナー等の結合式を取り付けたことを特徴とする犬の靴。
【請求項２】
ベルトの１又は２以上は手根パッドと掌肉球の間又は踵パッドと遮肉球の間を締め付ける位置に取り付けた、請求項１に記載の犬の靴。
【請求項３】
犬の靴に犬の足を入れる袋の入り口を狭くする用具を取り付けた請求項１乃至請求項２のいずれか１項に記載の犬の靴
【請求項４】
犬の靴に縫製した布の表面に合成樹脂を塗り補強した請求項１乃至請求項３のいずれか１項に記載の犬の靴。